(57)【要約】【課題】ランニングコストをより低減した蛍光灯型ＬＥＤ照明装置を提供する。【解決手段】本発明の蛍光灯型ＬＥＤ照明装置１００は、一対のソケットＳ１，Ｓ２間に装着可能であり、複数個の発光ダイオード１２を接続し配列した発光管１０と、片端２０Ａが片方のソケットＳ１と電気的に接続するプラグ２２からなり、前記ソケットＳ１から供給される交流電圧を直流電圧に変換する変換器２４を含む電源部２０と、を有し、該電源部の他端２０Ｂと前記発光管の片端１０Ａとが着脱可能に接続されることで、前記直流電圧を前記発光管に供給して前記発光ダイオードを発光させることができ、前記発光管の他端１０Ｂが、他方のソケットＳ２と機械的に接続するプラグ１４からなることを特徴とする。【選択図】図１
2013140683.tif 000002
【特許請求の範囲】
【請求項１】
一対のソケット間に装着可能な蛍光灯型ＬＥＤ照明装置であって、
複数個の発光ダイオードを接続し配列した発光管と、
片端が片方のソケットと電気的に接続するプラグからなり、前記ソケットから供給される交流電圧を直流電圧に変換する変換器を含む電源部と、を有し、
該電源部の他端と前記発光管の片端とが着脱可能に接続されることで、前記直流電圧を前記発光管に供給して前記発光ダイオードを発光させることができ、前記発光管の他端が、他方のソケットと機械的に接続するプラグからなることを特徴とする蛍光灯型ＬＥＤ照明装置。
【請求項２】
前記発光管の片端および前記電源部の他端のうち一方が、正端子および負端子に加え、ダミー端子を有するコネクタであり、他方が、前記正端子、負端子およびダミー端子に対応した端子受けを有するコネクタであり、
前記正端子、負端子およびダミー端子が正三角形をなさないように配置される請求項１に記載の蛍光灯型ＬＥＤ照明装置。
【請求項３】
前記電源部が前記発光管の発光／非発光を切り替えるスイッチを有し、
前記電源部に、前記スイッチを切り替えるための把持部を接続した請求項１または２に記載の蛍光灯型ＬＥＤ照明装置。
【請求項４】
前記電源部が任意のセンサを有する請求項１〜３のいずれか１項に記載の蛍光灯型ＬＥＤ照明装置。
【発明の詳細な説明】
【技術分野】
【０００１】
本発明は、一対のソケット間に装着可能な蛍光灯型ＬＥＤ照明装置に関する。
【背景技術】
【０００２】
発光ダイオード（ＬＥＤ）は、小型、高輝度、かつ長寿命であることから、次世代の照明器具に用いることが期待されている。特に近年では、蛍光灯用に設けられた一対のソケット間に対して、既存の蛍光灯に代替して装着可能な構造とした蛍光灯型ＬＥＤ照明装置が開発されつつある。
【０００３】
蛍光灯は交流電圧を利用した放電による発光を利用するものであるが、蛍光灯型ＬＥＤ照明装置は、直流電圧によって発光するものであるため、ソケットから供給される交流電圧を直流電圧に変換するＡＣ／ＤＣ変換器を含む電源部を設ける必要がある。
【０００４】
図５に示すように、従来の蛍光灯型ＬＥＤ照明装置２００は、複数個のＬＥＤ２０４を直列に接続し配列した発光管２０２とは分離して、一対のソケットＳ１，Ｓ２を含む取付け器具側に電源部２０６を配置するものであった。
【０００５】
また、図６に示す蛍光灯型ＬＥＤ照明装置３００のように、発光管３０２の内部に複数個のＬＥＤ３０４と一体に電源部３０６を配置するものも知られていた（特許文献１）。この場合、ＬＥＤ３０４が実装された直線状の基板の裏面に、電源部３０６が設けられる。
【先行技術文献】
【特許文献】
【０００６】
【特許文献１】特開２００１−３５１４０２号公報
【発明の概要】
【発明が解決しようとする課題】
【０００７】
一般に、ＬＥＤに比べて電源部は寿命が短い。しかしながら、図５に示す装置では、電源部２０６が故障すると取付け器具そのものを交換しなければならず、作業が煩雑であるばかりか、ランニングコストが高くなってしまう。また、図６に示す装置でも、電源部３０６が故障すると、ＬＥＤ３０４がまだ発光できる状態であっても発光管３０２全体を交換しなければならないため、ランニングコストが低減できず好ましくない。さらに、高熱となる電源部３０６がＬＥＤ３０４に近接して設けられていることから、ＬＥＤ３０４の劣化（輝度の低下）が加速されるという問題もあった。
【０００８】
そこで本発明は、上記課題に鑑み、ランニングコストをより低減した蛍光灯型ＬＥＤ照明装置を提供することを目的とする。
【課題を解決するための手段】
【０００９】
上記の目的を達成するべく、本発明の要旨構成は以下のとおりである。
本発明の蛍光灯型ＬＥＤ照明装置は、一対のソケット間に装着可能な蛍光灯型ＬＥＤ照明装置であって、複数個の発光ダイオードを接続し配列した発光管と、片端が片方のソケットと電気的に接続するプラグからなり、前記ソケットから供給される交流電圧を直流電圧に変換する変換器を含む電源部と、を有し、該電源部の他端と前記発光管の片端とが着脱可能に接続されることで、前記直流電圧を前記発光管に供給して前記発光ダイオードを発光させることができ、前記発光管の他端が、他方のソケットと機械的に接続するプラグからなることを特徴とする。
【００１０】
また、前記発光管の片端および前記電源部の他端のうち一方が、正端子および負端子に加え、ダミー端子を有するコネクタであり、他方が、前記正端子、負端子およびダミー端子に対応した端子受けを有するコネクタであり、前記正端子、負端子およびダミー端子が正三角形をなさないように配置されることが好ましい。
【００１１】
さらに、前記電源部が前記発光管の発光／非発光を切り替えるスイッチを有し、前記電源部に、前記スイッチを切り替えるための把持部を接続することが好ましい。
【００１２】
前記電源部には任意のセンサを設けることができる。
【発明の効果】
【００１３】
本発明によれば、発光管と電源部とを着脱可能に接続しつつ、両者が接続した状態で一対のソケット間に装着可能としたので、発光管および電源部を故障した都度それぞれ個別に交換することができる。また、電源部を発光管中のＬＥＤから分離した位置に設けるため、電源部の熱によるＬＥＤの劣化が抑制される。そのため、ランニングコストをより低減した蛍光灯型ＬＥＤ照明装置を提供することができる。
【図面の簡単な説明】
【００１４】
【図１】（Ａ）は、本発明に従う蛍光灯型ＬＥＤ照明装置１００が一対のソケット間に装着された状態を示す正面図であり、（Ｂ）は、この装置１００の平面図である。
【図２】図１に示す装置の発光管１０の、（Ａ）正面図、（Ｂ）平面図、および（Ｃ）右側面図である。
【図３】図１に示す装置の電源部２０の、（Ａ）正面図、（Ｂ）平面図、（Ｃ）左側面図、および（Ｄ）右側面図である。
【図４】発光管１０および電源部２０の接続状態を示す模式正面図である。
【図５】従来の蛍光灯型ＬＥＤ照明装置２００が一対のソケット間に装着された状態を示す模式図である。
【図６】従来の他の蛍光灯型ＬＥＤ照明装置３００が一対のソケット間に装着された状態を示す模式図である。
【発明を実施するための形態】
【００１５】
以下、図１〜４を参照しつつ本発明の実施形態をより詳細に説明する。
【００１６】
本発明の実施形態にかかる蛍光灯型ＬＥＤ照明装置１００（以下、「装置１００」という。）は、図１（Ａ）および図１（Ｂ）に示すように、一対のソケットＳ１，Ｓ２間に装着可能であって、発光管１０と電源部２０とを有する。
【００１７】
発光管１０は、例えばアルミニウム製の筺体と、例えばポリカーボネート材からなるランプシェードとからなる管の内部に、複数個の発光ダイオード（ＬＥＤ）１２を直列、並列または複数の直列回路を並列に接続する等により配列した基板を配置したものである。図１（Ａ）では発光管１０内部のＬＥＤを模式的に示した。
【００１８】
電源部２０は、図１、図３および図４に示すように、片端２０Ａが片方のソケットＳ１と電気的に接続するプラグ２２からなり、このソケットＳ１から供給される交流電圧を直流電圧に変換する変換器２４を含む。
【００１９】
ここで装置１００は、図４に示すように、電源部２０の他端２０Ｂと発光管１０の片端１０Ａとが着脱可能に接続されることで、電源部２０から直流電圧を発光管１０に供給してＬＥＤ１２を発光させることができるように構成される。そして、図１に示すように、発光管１０の他端１０Ｂは、他方のソケットＳ２と機械的に接続するプラグ１４からなる。
【００２０】
一対のソケットＳ１，Ｓ２は例えば既存の蛍光灯を装着するソケット対である。
【００２１】
この装置１００では、発光管１０と電源部２０とを着脱可能に接続しつつ、両者が接続した状態で一対のソケットＳ１，Ｓ２間に装着可能としたので、発光管１０および電源部２０を故障した都度それぞれ個別に交換することができる。また、電源部２０を発光管１０中のＬＥＤ１２から分離した位置に設けるため、電源部２０の熱によるＬＥＤ１２の劣化が抑制される。その結果、ランニングコストをより低減することができる。
【００２２】
また、電源部２０の仕様は国によって異なるが、この装置１００によれば、電源部のみを仕向けごとに設定することができる。さらに、発光管１０にはＬＥＤが配列した基板のみを配置すればよいため、このＬＥＤ実装基板をリールトゥリール方式で製造することができる。リールトゥリール方式は、プリント配線板が一対のリール間に張り渡され、プリント配線板を両リール間で走行させながら、プリント配線板に複数のＬＥＤを連続的に実装する方法である。さらに、装置１００は、発光管１０および電源部２０について個別に将来のバージョンアップに対応できる点でも好ましい。
【００２３】
次に、図２〜４を参照して、発光管１０と電源部２０との接続をより詳細に説明する。この装置１００では、図２に示すように、発光管の片端１０Ａが、正端子１６Ａおよび負端子１６Ｂに加え、ダミー端子１６Ｃを有するコネクタ（プラグ）１６となっている。さらに、図３に示すように、電源部の他端２０Ｂが、発光管の端子１６Ａ，１６Ｂ，１６Ｃに対応した端子受け２６Ａ，２６Ｂ，２６Ｃを有するコネクタ（ソケット）２６となっている。そのため、両者を接続すると、図４に示すように、発光管の端子１６Ａ，１６Ｂ，１６Ｃがそれぞれ電源部の端子受け２６Ａ，２６Ｂ，２６Ｃと嵌合し、端子１６Ａ，１６Ｂと端子受け２６Ａ，２６Ｂとの接続によって、電源部２０から直流電圧を発光管１０に供給することができる。
【００２４】
ここで、ダミー端子１６Ｃとその端子受け２６Ｃは、発光管１０と電源部２０の電気的接続に寄与するものではなく、単に機械的接続に寄与するものである。そして、正端子１６Ａ、負端子１６Ｂおよびダミー端子１６Ｃは、正三角形をなさないように配置される。これにより、正端子１６Ａおよび負端子１６Ｂを、それぞれ必ず端子受け２６Ａおよび２６Ｂと嵌合させることができるため、端子の誤接続を防止することができる。なお、図２〜４では発光管の片端１０Ａをプラグ、電源部の他端２０Ｂをソケットとしたが、発光管の片端１０Ａをソケット、電源部の他端２０Ｂをプラグとしても同様の効果を得ることができる。
【００２５】
また、発光管の片端１０Ａと電源部の他端２０Ｂに設けるコネクタの形状は特に限定されず、プラグ／ソケット以外の任意のコネクタを用いることができる。
【００２６】
さらに、図２（Ｃ）および図３（Ｃ）に示すように、コネクタ１６には等間隔に配置した４つの凸部１７があり、コネクタ２６には、凸部１７の位置に対応して配置した４つの凹部２７がある。これにより、発光管１０と電源部２０とを勘合した後、回転を防止して確実に固定することができる。なお、本実施形態ではダミー端子１６Ｃによって誤挿入防止を実現したが、上記凸部１７および凹部２７の配置を工夫することによっても実現することができる。すなわち、正端子１６Ａおよび負端子１６Ｂが、それぞれ端子受け２６Ａおよび２６Ｂと嵌合する場合にしか、コネクタ１６をコネクタ２６に対して挿入できないようにすればよい。例えば、コネクタ１６の１箇所にのみ凸部を設け、コネクタ２６の対応する１箇所にのみ凹部を設ける。あるいは、凸部を複数設ける場合には等間隔にならないようにすればよい。なお、コネクタ１６に凹部、コネクタ２６に凸部を設けてもよいことは勿論である。
【００２７】
本実施形態では図４に示すように、電源部２０は、発光管１０の発光／非発光を切り替えるスイッチ２８を有し、電源部２０に、スイッチ２８を切り替えるための把持部である紐３０を接続した。これにより、使用者が紐を引っ張ることで容易に発光／非発光を切り替えることができる。
【００２８】
このように本実施形態の装置１００は、電源部２０を発光管１０と別個に有するため、電源部２０に各種の機能を付加することができ、発展性を持たせることができる。例えば、電源部２０に照度センサ、全方位カメラ、報知機、通信モジュールなどの任意のセンサを付加することができる。特に、電源部２０に照度センサを設ける場合には、照度センサが発光管の光を直接受けるのを避けることができるため好ましい。また、停電時に非常灯としての機能を装置１００に持たせるために、電源部２０にバッテリーを付加してもよい。
【００２９】
装置１００の寸法は特に限定されないが、例えば発光管は長さ１１１ｃｍ、直径３ｃｍ程度とすることができ、電源部は長さ９ｃｍ、側面図における高さ６ｃｍ、幅３ｃｍ程度とすることができ、装置１００全体で合計の長さを１２０ｃｍとし、既存の蛍光灯用ソケット対に装着可能とすることができる。
【産業上の利用可能性】
【００３０】
本発明によれば、ランニングコストをより低減した蛍光灯型ＬＥＤ照明装置を提供することができる。
【符号の説明】
【００３１】
１００  蛍光灯型ＬＥＤ照明装置
１０  発光管
１０Ａ  発光管の片端
１０Ｂ  発光管の他端
１２  発光ダイオード（ＬＥＤ）
１４  プラグ
１６  コネクタ
１６Ａ  正端子
１６Ｂ  負端子
１６Ｃ  ダミー端子
１７  凸部
２０  電源部
２０Ａ  電源部の片端
２０Ｂ  電源部の他端
２２  プラグ
２４  変換器
２６  コネクタ
２６Ａ  正端子受け
２６Ｂ  負端子受け
２６Ｃ  ダミー端子受け
２７  凹部
２８  スイッチ
３０  ひも
【図１】
2013140683.tif 000003
【図２】
2013140683.tif 000004
【図３】
2013140683.tif 000005
【図４】
2013140683.tif 000006
【図５】
2013140683.tif 000007
【図６】
2013140683.tif 000008